Podtech/llm-jp-corpus-v4-ja_patent huggingface dataset:
(57)【要約】【課題】  本発明は、トイレットペーパーの向きを自由に回転できるようにする、トイレットペーパーホルダー取付機構を提供するものである。【解決手段】  壁面に取り付けるための板状支持部材と、板状支持部材にボルトや木ねじなどの回転軸で取り付けられた回転Ｌ字板からなっている。板状支持部材をトイレ内の壁面に木ねじ等で取り付け固定し、回転Ｌ字板にトイレットペーパーを木ねじや両面テープ等で固定する。回転Ｌ字板は回転軸を中心に回転可能なため、それに接続されたホルダー部は左右の適切な向きに回転させることができる。以上を特徴とするトイレットペーパーホルダー取付機構である。【選択図】図１
2018061811.tif 000002
【特許請求の範囲】
【請求項１】
壁面に取り付けるための板状支持部材と、板状支持部材にボルトや木ねじなどの回転軸で取り付けられた回転Ｌ字板から構成され、板状支持部材をトイレ内の壁面に木ねじ等で取り付け固定し、回転Ｌ字板にはホルダー部を木ねじや両面テープ等で固定することで、ホルダー部を左右の適切な向きに回転させることができるようになることを特徴とするトイレットペーパーホルダー取付機構である。
【発明の詳細な説明】
【技術分野】
【０００１】  本発明は、トイレットペーパーを取り付ける機構に関するもので、トイレットペーパーの向きを左右に回転できるようにするための機構に関するものである。
【背景技術】
【０００２】  従来のトイレットペーパーホルダーは、トイレ内の壁面に設置されるように設計されている。ホルダー本体を壁面に取り付ける方式でカッターが工夫されたもの（特許文献１参照）や、トイレットペーパーを簡単に取り出せる工夫がなされたもの（特許文献２参照）などがあった。
【先行技術文献】
【特許文献】
【０００３】
【特許文献１】  特開平１１−２０６６１７号広報
【特許文献２】  特開２０１３−０８５９４０号広報
【発明の概要】
【発明が解決しようとする課題】
【０００４】  従来のトイレットペーパーホルダーは、便器から見て前面の壁に設置されている場合は問題ないが、左側や右側の側壁に設置されている場合は、トイレットペーパーが壁に平行に取り付けられているため、次のような問題点があった。
便座に座った状態でトイレットペーパーを引き出そうとすると、トイレットペーパーの芯に対して斜め方向に引き出すことになり、トイレットペーパーが折れ曲がったりちぎれたりして非常に使いづらかった。
トイレットペーパーの芯に直角に（壁に直角に）引き出せばこのような問題は発生しないが、自分の手前向きとは異なる向きに引き出すのは、結構難しいという問題があった。
本発明はこのような問題点を解決するためになされたものである。
【課題を解決するための手段】
【０００５】  壁面に取り付けるための板状支持部材と、板状支持部材にボルトや木ねじなどの回転軸で取り付けられた回転Ｌ字板からなっている。板状支持部材をトイレ内の壁面に木ねじ等で取り付け固定し、回転Ｌ字板にトイレットペーパーを木ねじや両面テープ等で固定する。回転Ｌ字板は回転軸を中心に回転可能なため、それに接続されたホルダー部は左右の適切な向きに回転させることができる。以上を特徴とするトイレットペーパーホルダー取付機構である。
【発明の効果】
【０００６】  トイレットペーパーホルダーを回転させて壁に対して斜めに設置することにより、手前にスムーズに引き出すことができる。
【図面の簡単な説明】
【０００７】
【図１】本発明を下から見上げた斜視図である。
【図２】（ａ）は壁に取り付けた本発明にトイレットペーパーを取り付けた時の側面図であり、（ｂ）は同上斜視図である。
【図３】（ａ）は本発明の板状支持部材の斜視図であり、（ｂ）は板状支持部材の正面図である。
【発明を実施するため形態】
【０００８】  以下、本発明の実施の形態について説明する。
壁面に取り付けるための板状支持部材１と、回転Ｌ字板３を回転可能なようにボルトや木ねじ等の回転軸２を介して接続した構成にし、板状支持部材１は固定用穴９を通して木ねじ４等でトイレ内の壁５に取り付け固定する。回転Ｌ字板３にはホルダー部６を取り付けることができるように、木ねじやボルト用の取付穴８が設けてある。図では高さや左右の位置調整ができるように、取付穴８として長穴を複数個設けているが、穴の形状や個数は限定されない。回転Ｌ字板３に取り付けられたホルダー部６は、回転軸２を中心に適切な向きに回転させることができる。
以上を特徴とするトイレットペーパーホルダー取付機構である。
これを使用するときはトイレの壁５に固定し、トイレットペーパー７を取り付けて用いるが、それぞれのトイレに合わせて、便座に座った状態で最もトイレットペーパー７を引き出しやすい向きに回転させておく。そうすることによって、スムーズにトイレットペーパー７を引き出すことができる。
【符号の説明】
【０００９】    １  板状支持部材
２  回転軸
３  回転Ｌ字板
４  木ねじ
５  壁
６  ホルダー部
７  トイレットペーパー
８  取付穴
９  固定穴
【図１】
2018061811.tif 000003
【図２】
2018061811.tif 000004
【図３】
2018061811.tif 000005
(57)【要約】【課題】  ランニングの最中、汗ふきタオルを首に掛けていても、ずり落ちたり風に飛ばされたりしてしまう。幼児や介護を必要とする人が食事をする際、食べこぼし防止のため首にタオルを巻いても首回りがきつい、幼児と大人ではサイズが合わない等の問題があった。厨房で働く人や、園芸作業等をする人が汗ふきのためタオルを頭に巻いても後頭部で結び辛かった。タオルを洗って干す際、風に飛ばされる事がある。  本発明は、運動や食事、汗を伴う作業の際、使用する紐とスナップボタンを付けたタオルを提供する。【解決手段】  タオルの裏面片側、長い方の端に紐通しを設け、紐通しに紐を通し、タオルの裏面両端にスナップボタンを付けたことを特徴とする紐とスナップボタンを付けたタオル。【選択図】図１
2018061802.tif 000002
【特許請求の範囲】
【請求項１】
タオルの裏面片側、長い方の端に紐通しを設け、紐通しに紐を通し、タオルの裏面両端にスナップボタンを付けた、紐とスナップボタンを付けたタオル。
【発明の詳細な説明】
【技術分野】
【０００１】  本発明は、運動や食事、汗を伴う作業の際、使用する紐とスナップボタンを付けたタオルに関するものである。
【背景技術】
【０００２】  従来、ランニングする際タオルは首から掛けるか、手に持って使用していた。
幼児や介護を要する人が食事をする際、食べこぼし防止のためにタオルを首に巻いたり、専用の衣類を使用していた。
また、厨房で働く人や園芸作業をする人は、汗ふきのためタオルを頭に巻いて作業していた。
なお、タオルに切れ目を入れ、切れ目の位置に紐を付けたずり落ち防止の切れ目付きタオルがあった。（特許文献１参照）。
【先行技術文献】
【０００３】
【特許文献１】  特開２０１２−０８２５５５号公報
【発明の概要】
【発明が解決しようとする課題】
【０００４】  そのため、次のような問題点があった
（イ）ランニングの際、首に掛けたタオルがずり落ちる。
（ロ）幼児や介護を必要とする人が食事をする際、食べこぼし防止のためにタオルを首に巻いても首回りがきつい、幼児と大人ではサイズが合わない等の問題があった。
（ハ）汗を伴う作業をする際、汗ふきのためタオルを頭に被っても後頭部で結び辛かった。
（ニ）洗濯して干す際、風に飛ばされる事がある。
本発明は、これらの問題点を解決するためになされたものである。
【課題を解決するための手段】
【０００５】  タオルの裏面片側、長い方の端に紐通しを設け、紐通しに紐を通し、タオルの裏面両端にスナップボタンを付ける。
以上の構成よりなる紐とスナップボタンを付けたタオル。
【発明の効果】
【０００６】  （イ）紐を胸の前で結ぶ事により、ずり落ちたり風に飛ばされない。
（ロ）紐を絞って長さを調節して首に巻くことで、首回りもきつくなくサイズも調整できる。
（ハ）細い紐を使用しているので後頭部で結びやすい。
（ニ）ボタンを留めることで、強風が吹いても飛ばされない。
【図面の簡単な説明】
【０００７】
【図１】本発明の裏面図である。
【発明を実施するための形態】
【０００８】  以下、本発明の実施の形態を説明する。
（イ）タオル（１）の裏面片側、長い方の端に紐通し（２）を設ける。
（ロ）紐通し（２）に紐（３）を通す。
（ハ）紐通し（２）の中央（４）を縫いとめる。
（ニ）タオル（１）の裏面両端中央にスナップボタン（５）を設ける。
本発明は以上のような構造である。
本発明を使用するときは、以下４通りの使用方法がある。
（イ）タオル（１）を首に掛け、胸の前で紐（３）を結ぶ。
（ロ）タオル（１）を首の前から後ろに回し、紐（３）を首の後ろで結ぶ。
（ハ）タオル（１）を被り、紐（３）を後頭部で結ぶ。
（ニ）ハンガーにタオル（１）を掛け、スナップボタン（５）を留める。
【符号の説明】
【０００９】  １  タオル
２  紐通し
３  紐
４  中央
５  スナップボタン
【図１】
2018061802.tif 000003
(57)【要約】【課題】心のバランスの重要性を概念としてではなく具体的に、各個人が目に見える形で問題点と解決策を考え、分類し、その重さを測ることができ、心のバランス状態を目視し見直し、負担軽減を計ること、複数の人達と共有出来る心理バランサーを提供する。【解決手段】個人の抱える問題点を書き出すことで明確化するために札に書き込む作業をし、その札を掛ける作業でそれに対する解決策も考えることを促し、具体的に天秤棒に掛ける事でその問題の重要度が自分自身で確認できる。また、複数の天秤棒があることで問題を生活軸に分類し、整理する機会を作り、天秤棒を１つの支軸にまとめることで心全体の中に混在する問題の分類項目それぞれのバランスも目視でき、何が負担になっているのかを知ることが出来る。また、ゲージがあることで心全体に対する負担の増加を目視することができる事を特徴とする。【選択図】図１
2018061808.tif 000002
【特許請求の範囲】
【請求項１】
心の悩みを目に見える形で表す作業ができ、解決策を考える機会を作り、その問題点と解決策のバランスを目に見える形にし、例えば札のような形で吊るし、測る天秤
【請求項２】
複数の天秤棒を掛けられる構造を持つ天秤
【請求項３】
天秤棒に掛かる荷重が大きくなり過ぎるとそれがわかるゲージがあり、落下する仕組みが付いた支軸を持つ天秤
【請求項４】
上記請求項１から３の機能を持ち、インターネット上での利用及びプログラムも含む電子装置等のゲームを含めた利用。
【発明の詳細な説明】
【技術分野】
【０００１】      本発明は心の悩みとその解決法のバランスを具体的に天秤という形で目に見えるようにし、各個人が自分で、例えば、札５のような形で掛ける操作をする事で心のバランスを取る工夫ができるし、複数の人達の共有した問題を共に解決策を探すことも可能にする装置に関するものである。
【背景技術】
【０００２】      従来、心のバランスは概念図では描かれ重要視されているが、概念での説明にとどまるかチェックシートでの判断にとどまっていた。また、重さを量る天秤はあるが、心のバランスを計る天秤の装置はなかった。
【発明の概要】
【発明が解決しようとする課題】
【０００３】      これは次のような欠点があった
（イ）心の均衡を保つ重要性は概念として理解は出来るが、いざ具体的に自分に当てはめるのには抽象的でそのバランス状態を目に見える形で表してくれ、心のバランスを取る具体的な方法を見出すまでには至らなかった。
（ロ）重さを量る天秤は存在するが、心の重さを計る天秤は存在しなかった
【課題を解決するための手段】
【０００４】      重さを量る天秤の構造を利用し天秤棒４にまず、現在抱えている心の悩みの問題となる事柄を記入したもの、例えば札５を作成する事で悩みが文章化され、明確化がなされる。そしてバランスを保つには自ずと反対側に札５を掛ける必要が生じる。その反対側の札５は心の悩みの解決策であり、解決策を考える機会を作る思考を促し、問題と解決策のバランスを保つ作業が心の悩みに取り組む作業を促す。【０００５】      また、天秤棒４には札５を掛ける場所が複数あることで、天秤棒４の端部に掛けると反対側には端部より内側であれば、それより多い札５を掛ける必要となり、それぞれの札を掛ける場所を決める事がそれぞれの重要度を認識し、心の悩みの解決に向けての思考を促す働きを生じさせる。【０００６】      次に、１つの支軸１に対し、複数の天秤棒４が掛けられる様にする事で、個人の抱える混在する問題を大項目となる生活軸（天秤棒４）で分類でき、自分自身の生活軸、社会的な生活軸、仕事の生活軸、家庭に対する生活軸などのテーマに混在する問題点を振り分ける作業が可能となり、心の悩みを大項目に分類し、整理を図れ、それぞれの生活軸を主題とする天秤棒４を一つの支軸１でまとめることで一度に全体のバランスを視覚的に見えるようにすることを目的としている。【０００７】      また、支軸１に磁石３とゲージ２をつけることで全体の天秤棒４自体の重みで落下する可能性を生じさせ、荷重である札５を掛けすぎるとその重みでゲージ２からずり落ちだし、ゲージ２を見ることで現在の自分が多くの課題を抱え過ぎる状態をひと目で見ることができ、落下する仕組みが問題点を整理する思考を促す機会を生じ、数を減らせ、解決策が実行されていなという課題の積み残しの自覚を促す効果が期待できる。磁石３は１つの天秤棒４に１つの磁石３で対応しで磁石３どうしを連結することで天秤棒４の数が増えても落下の度合いを均等にすることが可能となる。
本発明は以上の構成よりなる心理バランサーである。
【発明の効果】
【０００８】      現在の心の悩みの状態を知るためにまず悩みを書き出し、次にそれに対する解決策を考え、バランスをとるよう引っ掛ける作業で何に重きをおくのか具体的に視覚で確認することができるようになる。【０００９】      複数の天秤棒を掛けられる様にする事で現在抱えている問題をテーマごとに分類でき、どの生活軸に一番偏りが生じているかを視覚的に確認することが出来る。【００１０】      また問題や解決手段の課題が多くなりすぎると札５が増えて落下する構造にする事で多くなりすぎた問題点と解決策を見直し、札５を少なくする工夫をする作業で必要なこと不要なことの分類をする作業を促し、見つめ直す機会を作るし、複数で楽しむことも出来る。
【図面の簡単な説明】
【００１０】
【図１】心理バランサーの構造を示した斜視図である。
【発明を実施するための形態】
【００１１】      心の悩みのバランスのとり方をイメージやチェック表でなく、天秤の構造を持つことでより目に見え、感じられる形を実現した。
【実施例】
【００１２】      図１は本発明装置の実施例の斜視図であり、１の支軸、２のゲージ、３の磁石、４の天秤棒、５の札からなる。【００１３】      心の悩みは多岐にわたり複雑に絡んでいるが天秤棒４を複数掛けられる構造で、思いのままに書き出した心の悩みの札５をそれぞれの自分で決めた生活軸の天秤棒４に、まず書き出した悩みがどの生活軸の天秤棒４に掛けるのかを考えることが大項目の分類とすることが出来る。【００１４】      心の悩みを書き込んだ札５をそれぞれの天秤棒４にかけることでどの生活軸の天秤棒４に偏りが生じているのを見て取れ、偏りの大きい天秤棒４からその解決策の札５を作る作業へとすすめる。【００１５】      それに対する解決策も複数出てくるであろうし、他の生活軸にも活用できる解決策の可能性があり、その重要度、困難度を考えて札５を掛けていく事でその有効性も測ることが可能となる。【００１６】      ゲージ２と磁石３があることで重くなりすぎることを知らせ、札５を減らす作業が心の整理へとつなげることが出来る。【００１７】      また、心の中を見える形にするので、個人の心の中だけでなく、問題解決の手段として複数の人達と共有し活用できる。
【符号の説明】
【００１８】      １  支軸
２  ゲージ
３  磁石
４  天秤棒
５  札
【図１】
2018061808.tif 000003
(57)【要約】      （修正有）【課題】魚を入れた鍋料理において、魚の骨が白菜などの野菜、その他の具材に混同した場合、うっかり小骨を呑み込んでしまうの防ぐ。【解決手段】魚の鍋料理を作る際、容器に魚を入れて作るだけで、魚の小骨など骨類の心配をする事なく、安心して鍋料理を食べる事が出来る小骨安心鍋を提供する。【選択図】図１
2018061806.tif 000002
【特許請求の範囲】
【請求項１】
魚の入った鍋料理を作る際、野菜などの具材と魚が混同しないように、魚だけを入れる容器。
【発明の詳細な説明】
【発明の概要】
【発明が解決しようとする課題】魚を入れた鍋料理は大変美味しいものですが、魚の骨が白菜などの野菜、その他の具材に混同した場合、うっかり小骨を呑み込んでしまわないか、注意しながら食べる必要がありました。（特に子供に与える場合には、細心の注意を払う必要がありました）本発明は、魚が入った鍋でも小骨などの骨類を気にせず、心から安心して食べられるようになるというものです。
【課題を解決するための手段】魚の鍋料理を作る際、本発明の容器に魚を入れて作るだけで、魚の小骨など骨類の心配をする事なく、安心して鍋料理を食べる事が出来ます。
【発明の効果】魚の小骨を気にする事なく、安心、気軽に魚の鍋料理を堪能する事が可能となります。
【図面の簡単な説明】
【図１】１の上面図。１‐Ａ、１‐Ｂは継ぎ手オス。
【図２】２の上面図。２‐Ａ、２‐Ｂは継ぎ手メス。
【図３】１と２を合わせた側面図。
【図４】１と２を合わせる手前の正面図。
【図５】継ぎ手の拡大図。※図１〜４の［６］の部分は網の目状（メッシュ）。
【図１】
2018061806.tif 000003
【図２】
2018061806.tif 000004
【図３】
2018061806.tif 000005
【図４】
2018061806.tif 000006
【図５】
2018061806.tif 000007
(57)【要約】【課題】  使用者の爪の負担をなくし、ネイルの脱着が容易にでき、瞬時に指輪を脱着することができるので、場所や場面を選ばず職種や年齢にとらわれない幅広い人々に手軽に使用できるようにした指輪を提供する。【解決手段】  指輪２につけ爪受け部３を設け、付け爪１をつけ爪受け部３に脱着可能に装着固定し、使用者の指先４，５に指輪２を脱着する。【選択図】図１
2018061803.tif 000002
【特許請求の範囲】
【請求項１】
指輪２につけ爪受け部３を設け、付け爪１をつけ爪受け部３に脱着可能に装着固定し、使用者の指先４，５に脱着できる指輪。
【発明の詳細な説明】
【技術分野】
【０００１】  この発明は、つけ爪を着脱可能にするよう装着できる指輪に関する。
【背景技術】
【０００２】  従来、つけ爪は接着剤や、両面テープ、アクリリックネイルなど様々なつけ爪があるが、いづれも直に爪に施術するため使用者自身の爪に負担をかけてしまい、炎症や爪カビといった病気も問題になっている。【０００３】  接着剤で装着したつけ爪を外す場合、接着剤を溶かさないといけないのだが、その時につけ爪も一緒に溶けてしまい、そのつけ爪は使えなくなる。両面テープの場合はつけ爪は繰り返し使用可能であるが、接着剤使用時と同じく、着脱時に技術と時間がかかり、瞬時に着脱は困難である。
【発明の概要】
【発明が解決しようとする課題】
【０００４】  しかしながら、従来のつけ爪は生身の爪に直接装着するため、つけ爪を外す場合や、長期間装着したままの時など使用者の爪に負担をかけてしまい炎症などを起こしてしまう場合があった。装着時には爪のサイズなどに合わせるためネイルサロンなどに依頼するか、使用者自身で装着するにもある程度の技術を要した。従来のつけ爪は一度装着するとすぐには外すことが難しい事が多く、比較的外す事が安易にできる両面テープでさえその場ですぐに外さなければいけないという場面でも不可能なことが多い。つけ爪を装着すると、家事や労働などに制限が強いられるため、つけ爪をためらう人が多くいる。そういう事からつけ爪を使用しているのは若年層の女性が多く、それ以上の年齢層になると少数になっていく。【０００５】  したがって本発明の目的は以上のような欠点をなくすためのものであり、使用者の爪の負担をなくし、ネイルの脱着が容易にでき、瞬時に指輪を脱着することができるので、場所や場面を選ばず職種や年齢にとらわれない幅広い人々に手軽に使用できるようにした指輪を提供することを課題とする。
【課題を解決するための手段】
【０００６】  指輪２につけ爪受け部３を設け、付け爪１をつけ爪受け部３に脱着可能に装着固定し、使用者の指先４，５に指輪２を脱着する。【０００７】  このように構成されることによりつけ爪を指輪と同じ感覚で場面に応じ手軽に着脱可能となる。
【発明の効果】
【０００８】  以上のように本発明は、使用者の爪の負担をなくし、ネイルの脱着が容易にでき、瞬時に指輪を脱着することができるので、場所や場面を選ばず職種や年齢にとらわれない幅広い人々に手軽に使用できるようにした指輪を提供することができる。
【図面の簡単な説明】
【０００９】
【図１】（ａ）は本考案の実施例で装着時の正面図、（ｂ）はその側面図である。
【図２】本考案本体のみの正面図である。
【図３】本考案の実施例の断面図である。
【図４】本考案の実施例の分解図である。
【発明を実施するための形態】
【００１０】  本発明の実施の形態を以下に説明するが、本発明はこれに限定されるものではない。
【００１１】  本発明の実施の形態を図面を参照して説明する。図１、図２に示す実施形態は指輪２のつけ爪受け部３につけ爪１を着脱可能に装着固定し使用者の指５に装着する。
【００１２】  図１、図３、図４を参考にしながら、つけ爪１と指輪２に装着固定の手段として、つけ爪受け部３と指輪２との境界線に溝を設け、つけ爪１の弾力で溝にはめ込み、着脱可能に装着固定する。あるいは、つけ爪受け部３に接着剤、両面テープ、パテ、固定金具など脱着可能な材料を用いて装着固定する。この時使用者は両手が自由に使え、つけ爪１を指輪２に装着する作業が楽で確実になる。又は業者に装着の依頼をする際は、使用者本人が業者のもとにまで出向かなくても指輪２を業者に送るだけで確実な仕上がりになる。
【００１３】  指輪２につけ爪１を固定した後、使用者の指５に装着する。
【００１４】  使用者が何か作業する時や、ネイルや装身具などががそぐわない場所であってもその場で指輪２ごと外せば、使用者の指５はつけ爪などの装飾がなされていない素の指にすぐに戻せ、その場にあった作業や振る舞いが出来、それが済めば指輪２をはめるだけで装飾された使用者の指５の指に戻すことが可能である。
【符号の説明】
【００１５】１  つけ爪
２  指輪
３  つけ爪受け部
３−ａ  着脱用溝
４  使用者の爪
５  使用者の指
【図１】
2018061803.tif 000003
【図２】
2018061803.tif 000004
【図３】
2018061803.tif 000005
【図４】
2018061803.tif 000006
(57)【要約】【課題】  本発明は、食事用自助具であって、指の屈曲による傾き調節を可能とするスプーンまたはフォーク型食事用自助具を提供することを目的とする。【解決手段】  本発明の食事用自助具は、手指の不自由な者でも保持が十分に可能な握持部を備えたスプーンまたはフォーク型食事用自助具であって、当該握持部が手掌中に収まるサイズであるとともに自助具の柄部の下面に結合されていることを特徴とする、食事用自助具を提供する。【選択図】図２
2018061801.tif 000002
【特許請求の範囲】
【請求項１】
握持部を備えたスプーンまたはフォーク型食事用自助具であって、当該握持部が手掌中に収まるサイズであるとともに自助具の柄部の下面に結合されていることを特徴とする、食事用自助具。
【請求項２】
握持部が直径１〜７ｃｍの略球形であることを特徴とする、請求項１に記載の食事用自助具。
【発明の詳細な説明】
【発明の詳細な説明】
【技術分野】
【０００１】  本発明は、食事用自助具を提供するものである。
【先行技術文献】
【特許文献】
【０００２】
【特許文献１】実登３１１６４６８号公報
【特許文献２】特開２０００−６０７１１号公報
【０００３】  特許文献１および２は、いずれも、握持部を備えることによって、手指の不自由な者が利用しやすいスプーン等を提供するものである。
【発明の概要】
【発明が解決しようとする課題】
【０００４】  スプーンやフォークといった食器類の使用動作は、ある程度成育した健常人であれば何気なく行っている。しかし、例えばスプーンを使用するといっても、動作を分けて考えると、スプーンを指でつまみ、皿の上に運び、皿に差し入れ、すくい上げ、口へと運び、口内に差し入れ、口から抜き取るという複雑なステップが含まれる。この複雑な複数のステップが含まれるスプーン等の使用においては、腕の伸縮および肘や手首の回転はもちろんのこと、スプーンをつまむ指、とりわけ第二指の屈曲が重要な役割を果たしている。【０００５】  しかるに特許文献１および２に記載されているスプーン等は、握持部を片手の手指で握りこむことを前提としているため、スプーン等の機能部の動きを指の屈曲によって調節することはできない。もちろんスプーン等に握持部を設けることで手指の不自由な者でも利用可能とすることには大いに意義がある。しかし、一概に不自由といっても様々な段階があるのであって、指がある程度動くのであれば、大げさに腕を伸縮させ肘や手首を回転させなければならない大型の握持部を備えたスプーン等よりも、むしろ指の屈曲により傾きを調整可能な小型の握持部を備えたスプーンのほうが好まれる。さらに、大型の握持部は外観上目立つため、とりわけ外食時に利用者が注目を浴びるなど、利用者にとって不快なものとなる場合がある。
【課題を解決するための手段】
【０００６】  そこで、本発明は、手指の不自由な者でも保持が十分に可能な握持部を備えたスプーンまたはフォーク型食事用自助具であって、当該握持部が手掌中に収まるサイズであるとともに自助具の柄部の下面に結合されていることを特徴とする、食事用自助具を提供する。【０００７】  本発明の食事用自助具におけるスプーンやフォークの機能部および柄部の形状および材質は、特に限定されず、当業者が想到しうるどのようなものであってもよい。【０００８】  本発明の食事用自助具における握持部は、手掌中に収まる形状およびサイズであればよい。つまり、クルミやピンポン玉のように、握持部を握りこんだ場合に少なくとも第二指を必要としない形状およびサイズ、例えば手掌と第五指、あるいは手掌と第四および第五指で握持可能な形状およびサイズを有する。【０００９】  具体的な握持部の形状としては、略球形または多面体などが考えられるが、これらに限定されない。典型的には、手掌との接触面積が大きな略球形が好ましい。具体的な握持部のサイズは、利用者の手掌の大きさによるため一概にいえないが、例えば成人が使用する略球形の握持部を想定したとき、直径１〜７ｃｍ、好ましくは１．５〜６ｃｍ、より好ましくは２〜５ｃｍである。握持部が小さすぎれば自助具の保持に不十分であり、大きすぎれば握持部を握りこむために第二指が必要となる。
【発明の効果】
【００１０】  本発明の食事用自助具は、手掌中に握持部が収まり少なくとも第二指が自由となることによって、柄部に自由となった指を掛けることができる。柄部に掛けられた指を屈曲することで、本発明の食事用自助具の機能部を操ることができる。このような動作は、通常の食器を使用する際の動作であるため、単に手指の不自由な者が利用しやすい食事用自助具というだけではなく、通常の食器を使用するためのリハビリテーションにもなる。さらに本発明の食事用自助具における握持部は手掌中に収まるという目立たない外観をしており、いらぬ注目を浴びることが避けられる。
【図面の簡単な説明】
【００１１】
【図１】本発明の実施形態における食事用自助具の正面図
【図２】本発明の実施形態における食事用自助具の側面図
【発明を実施するための態様】
【００１３】  本発明の実施形態を図１および２に基づいて説明する。図１は、本発明の実施形態における食事用自助具の正面図である。図２は、本発明の実施形態における食事用自助具の側面図である。柄部（２）と略球形の握持部（３）とが結合されている。握持部の直径は２．５ｃｍである。
【符号の説明】
【００１４】１              機能部２              柄部３              握持部
【図１】
2018061801.tif 000003
【図２】
2018061801.tif 000004
(57)【要約】【課題】  本発明は、洗濯物等を干す場合等に使用される吊り具において、簡単な構造で軽い吊り具を提供することを目的とする。【解決手段】  物干し用の吊り具において、洗濯物等の一部を差し込んで保持することができる形状の差し込み口と保持部を有することを特徴とする吊り具、を提供することで、課題を解決した。【選択図】図３
2018061805.tif 000002
【特許請求の範囲】
【請求項１】
物干し用の吊り具において、洗濯物等の一部を差し込んで保持することができる形状の差し込み口と保持部を有することを特徴とする、吊り具。
【請求項２】
請求項１記載の吊り具を備えることを特徴とする、ハンガー。
【発明の詳細な説明】
【技術分野】
【０００１】  本発明は、洗濯物等を干す場合等に使用される吊り具に関する。
【背景技術】
【０００２】  従来、物干し用の吊り具には、２枚の挟持片をばねを介して連結し開閉させて洗濯物等を挟むピンチがあるが、構造が複雑で重いという問題があった。
【発明の概要】
【発明が解決しようとする課題】
【０００３】  本発明は、簡単な構造で軽い吊り具を提供することを目的とする。
【課題を解決するための手段】
【０００４】  上記課題を解決するための手段として、本発明に係る、請求項１に記載の吊り具は、洗濯物等の一部を差し込んで保持することができる形状の差し込み口と保持部を有することを、特徴とする。【０００５】  上記課題解決手段による作用は次の通りである。すなわち、洗濯物等の一部の、差し込み口と保持部を有する形状であることから、簡単な構造で軽くすることができる。【０００６】  また、請求項２に記載のハンガーは、請求項１の吊り具を備えることを特徴とする。
【発明の効果】
【０００７】  上述したように、本発明の吊り具は、簡単な構造で軽い吊り具を提供することができる。
【図面の簡単な説明】
【０００８】
【図１】本発明の請求項１の実施形態を示す吊り具の一例の斜視図
【図２】前記吊り具に洗濯物等を吊り下げた状態の一例の斜視図
【図３】本発明の請求項２の実施形態を示すハンガーの一例の斜視図
【発明を実施するための形態】
【０００９】  以下、本発明の実施の形態を図１〜図３に基づいて説明する。
【００１０】  図１においては、洗濯物等の一部を差し込んで保持することができる形状の差し込み口と保持部を有することを特徴とする吊り具の、一例を図示している。洗濯物等の一部を、前記差し込み口に差し込み、前記保持部で保持することで、物干しすることができる。
【００１１】  図２においては、前記吊り具に、洗濯物等を吊り下げた状態の一例を図示している。
【００１２】  図３においては、前記吊り具を、吊り下げたハンガーの一例を図示している。
【符号の説明】
【００１３】１１  吊り具
１２  差し込み口
１３  保持部
２１  洗濯物等
３１  ハンガー
【図１】
2018061805.tif 000003
【図２】
2018061805.tif 000004
【図３】
2018061805.tif 000005
(57)【要約】      （修正有）【課題】日本国の未来の為に、恒久財源を確保する為の案件で、金銭及び資源を確保する。【解決手段】宇外、宇前のエネルギー値を推定し、そのエネルギー値のジュール数に、１ジュールの単位推定価格を乗じた金銭換算をして、その換算金を、虚数回路により、出したバリアブルソロンで、金銭抽出する。特殊外場資源抽出機は、虚数回路により出し、宇外の力で宇前界（１前界〜１６前界）より、資源を抽出する。【選択図】なし【特許請求の範囲】
【発明の詳細な説明】
2018061413.tif 000002
【手続補正書】
【提出日】平成29年2月26日(2017.2.26)
【手続補正２】
【補正対象書類名】明細書
【補正対象項目名】全文
【補正方法】変更
【補正の内容】
【発明の詳細な説明】
【技術分野】一．恒久財源確保の為、宇外、宇前（特殊外場と言う）のエネルギー値を推定し、そのエネルギー値のジュール数に、１ジュールの単位推定価格を乗じた金銭換算をして、その換算金を、虚数回路により、出したバリアブルソロンで、金銭抽出する案件です
二．特殊外場資源抽出機は、虚数回路により出し、宇外の力で宇前界（１前界〜１６前界）より、資源を抽出する案件。化石燃料に近いものが抽出でき、鉱物も抽出できる見込みです。
【手続補正３】
【補正対象書類名】特許請求の範囲
【補正対象項目名】全文
【補正方法】変更
【補正の内容】
【特許請求の範囲】
【請求項１】
宇外、宇前のエネルギー値を、１ジュール当りの単位価格を乗じて金銭換算する。
【請求項２】
バリアブルソロンで、金銭抽出する。
【請求項３】
虚数回路から、バリアブルソロン及び特殊外場資源抽出機を出す。
【請求項４】
宇外の力で、宇前界（１前界〜１６前界）から、資源を抽出する。
(57)【要約】      （修正有）【課題】もろみ粕又は果物粕を有効利用し、簡単・確実に粉末を製造できると共に、新しい調味料として使用できる粉末加工方法及び粉末調味料の提供。【解決手段】醤油製造工程又は飲料製造工程で圧搾後に得られたもろみ粕又は果物粕を乾燥させる乾燥工程と、乾燥したもろみ粕又は果物粕を粉末にする粉末工程とからなる粉末加工方法、乾燥工程で８０℃〜１５０℃の範囲内で乾燥すべく板状のメッシュ棚を複数段設けてある温風乾燥機を使用する前記粉末加工方法、粉末工程で内部に複数のセラミックボールを入れたコンクリートミキサーで粉末にする前記粉末加工方法、及び粉末工程で魚粉・野菜粉・果実粉・肉粉の少なくとも１つからなる食品粉を加えてなる粉末とする前記粉末加工方法、並びに前記粉末加工方法で加工された粉末調味料。【選択図】なし【特許請求の範囲】
【請求項１】
醤油製造工程または飲料製造工程において、圧搾後に出るももろみ粕または果物粕を乾燥させる乾燥工程と、乾燥したもろみ粕または果物粕を粉末にする粉末工程とからなることを特徴とするも粉末加工方法。
【請求項２】
前記もろみ粕または果物粕が板状であることを特徴とする請求項１記載の粉末加工方法。
【請求項３】
乾燥工程で使用する乾燥機は温風乾燥機で、８０℃〜１５０℃の範囲内で乾燥すべく、板状のメッシュ棚を複数段設けてあることを特徴とする請求項１又は２記載の粉末加工方法。
【請求項４】
粉末工程においては、内部に複数のセラミックボールを入れたコンクリートミキサーで粉末にすることを特徴とする請求項１、２又は３記載の粉末加工方法。
【請求項５】
粉末工程において、別の食品粉を加えてなることを特徴とする請求項１、２、３又は４記載の粉末加工方法。
【請求項６】
前記食品粉が魚粉・野菜粉・果実粉・肉粉の少なくとも１つであることを特徴とする請求項５記載の粉末加工方法。
【請求項７】
前記粉末加工方法で加工された粉末調味料。
【発明の詳細な説明】
【技術分野】
【０００１】  本発明は、もろみ粕（果物粕）を使用して、醤油もろみ粉末（果物粉末）調味料を製造する粉末加工方法及び粉末調味料に関するものである。
【背景技術】
【０００２】  従来の技術としては、魚醤油に、少なくとも醤油麹由来の酵素と醤油粕とを含む醤油成分を添加し、所定期間の反応熟成ののち火入れを行い、その後に濾過して濾液を得ることを特徴とする、発酵調味料の製造方法及び上記濾液を乾燥して粉末状に形成するものがある。（特許文献１参照）【０００３】  また、別の従来技術としては、粉末醤油及び／又は粉末醤油諸味と乳化食品とを混合してなる調味料がある。（特許文献２参照）
【先行技術文献】
【特許文献】
【０００４】
【特許文献１】  特開２００２−１７６９５１号公報
【特許文献２】  特開２０００−１５７２０１号公報
【発明の概要】
【発明が解決しようとする課題】
【０００５】  上記前者においては、魚醤油に酵素と醤油粕を加えて濾過した濾液を粉末状にしたもので、本発明のような醤油粕のみを使用したものではなく、自ずと異なるものである。【０００６】  上記後者においては、バターに粉末醤油を混合したものであり、本発明とは本質的に異なるものである。
また、果物粕の粉末においては、従来技術はないものである。【０００７】  本発明は、このような従来の構成が有していた問題を解決しようとするもので、もろみ粕（果物粕）を有効利用し、簡単・確実に粉末を製造できると共に、新しい調味料として使用できる粉末加工方法及び粉末調味料を提供することを目的とする。
【課題を解決するための手段】
【０００８】  本発明は上記目的を達成するため、醤油製造工程（飲料製造工程）において、圧搾後に出るもろみ粕（果物粕）を乾燥させる乾燥工程と、乾燥したもろみ粕（果物粕）を粉末にする粉末工程とからなること。前記もろみ粕（果物粕）が板状であること。乾燥工程で使用する乾燥機は温風乾燥機で、８０℃〜１５０℃の範囲内で乾燥すべく、板状のメッシュ棚を複数段設けてあること。粉末工程においては、内部に複数のセラミックボールを入れたコンクリートミキサーで粉末にすること。粉末工程において、別の食品粉を加えてなること。前記食品粉が魚粉・野菜粉・果実粉・肉粉であることを特徴とする。
【発明の効果】
【０００９】１）、醤油製造工程（飲料製造工程）で出るもろみ粕（果物粕）を乾燥し、粉末にするこ      とにより醤油もろみの栄養（各果物の栄養）をそのまま料理等にかけて食べること      ができると共に、菓子等の材料としても使用できる。
２）、もろみ粕（果物粕）は、今までは肥料や飼料等に使用されており、原材料として安      価で引き取ることにより、コストを大幅に安くできる。
３）、乾燥工程において、もろみ粕（果物粕）が板状に形成されてあるため、温風乾燥機      にて効率よく乾燥できる。
４）、粉末工程において、コンクリートミキサー内にセラミックボールを入れ、その中に      乾燥した板状のもろみ粕（果物粕）を投入するのみで粉末ができ、素人でも簡単に      でき、セラミックボールから放射される遠赤外線作用により美味に粉末化できる。
５）、粉末工程において、別の食品粉（魚粉・野菜粉・果実粉・肉粉）を加えることによ      り、新しいタイプの調味料や食品材料ができる。
【発明を実施するための形態】
【００１０】  まず、粉末加工方法について説明する。
醤油製造工程（飲料製造工程）において圧搾後に出るもろみ粕（果物粕）（板状のもの）を乾燥機に入れて乾燥する乾燥工程と、乾燥したもろみ粕（果実粕）を粉末機（例えば、コンクリートミキサー）に入れ、粉末にする粉末工程とからなるものである。
【００１１】  上記もろみ粕（果物粕）は、厚みが３ｍｍ〜１０ｍｍ位が望ましく、大きさはＡ４位が適当である。
上記乾燥機は、特に限定するものではないが、例えば温風乾燥機で８０℃〜１５０℃の温風を送り、板状のメッシュ棚を複数段設けてある。
上記粉末機は、例えばコンクリートミキサーとし、内部に複数個（数個から数十個位）のセラミックボール（数ｃｍ〜１０ｃｍ位）を入れたものを使用し、上記もろみ粕（果物粕）を投入して回転させることにより、セラミックボールから放射される遠赤外線作用にて、短時間に美味しくもろみ粕（果物粕）を粉末にできる。
なお、セラミックボールの代わりに略球状の石玉を使用するのも一考です。
この時、必要に応じて食品粉である魚粉・野菜粉・果実粉・肉粉等を入れて混合し、新しいタイプの調味料や食品材料を作ることができる。
【００１２】  上記粉末加工方法により加工されたものを粉末調味料とする。
例えば、パスタ・スパゲティ・サラダ・ご飯・スープ・肉料理・魚料理等の隠し味としてふりかけ（練り込む）て使用することができると共に、菓子の材料としても使用できるものである。
【産業上の利用の可能性】
【００１３】  粉末調味料において、多種多様な料理の隠し味や菓子の材料としても使用できるため用途も広く、特に料理業界（菓子業界）に貢献できるものである。
また、今まで廃棄されたり、肥料や飼料等に使用されていたもろみ粕（果物粕）を有効利用できる。
(57)【要約】【課題】従来よりも製作が簡易である濾材の製造方法を提供しようとするもの。【解決手段】造形材を所定方向に走査しながら吐出させ、これを硬化させる動作を繰り返すことで高さ方向に厚みを有する濾材条を層状に生成して前記濾材条を高さ方向に積層すると共に、開孔率が低い濾材層に開孔率が高い濾材層を積層するようにした。開孔率が低い濾材層を網目状のふるいの目として、開孔率が高い濾材層を支持体として機能させることが出来る。【選択図】なし【特許請求の範囲】
【請求項１】
造形材を所定方向に走査しながら吐出させ、これを硬化させる動作を繰り返すことで高さ方向に厚みを有する濾材条を層状に生成して前記濾材条を高さ方向に積層すると共に、開孔率が低い濾材層に開孔率が高い濾材層を積層するようにしたことを特徴とする濾材の製造方法。
【発明の詳細な説明】
【技術分野】
【０００１】
この発明は、従来よりも製作が簡易な濾材の製造方法に関するものである。
【背景技術】
【０００２】
従来、種々の異物を含んだ液体中から異物を除去する多筒型自動逆洗式ストレーナに関し、特に、例えば、船舶のバラストタンク内に供給されるバラスト水に含まれる生物や不純物等の異物を濾過するための船舶用バラスト水処理に好適な多筒型自動逆洗式ストレーナに関する提案があった（特許文献１）。
この提案によると、断面三角形状の底辺を内周に位置させたウェッジワイヤを円筒状に構成して濾過エレメントを形成しているため、原水及び逆洗水が通過するウェッジワイヤ間の隙間が濾過エレメントの長さ方向に連続して形成されることにより、濾過エレメント内に配置した細径円錐体が原水及び逆洗水の流れを制御する効果を十分に発揮させることができるとともに、ウェッジワイヤ間の濾過隙間が正確に設定され、かつ濾過面の一次側に付着したスラッジを逆洗する逆洗力が大きい濾過エレメントを有する多筒型自動逆洗式ストレーナを得ることができる、というものである。
しかし、このウェッジワイヤを用いた濾材は製作がかなり煩瑣であるという問題があった。
【先行技術文献】
【特許文献】
【０００３】
【特許文献１】特開2013-226499号公報
【発明の概要】
【発明が解決しようとする課題】
【０００４】
そこでこの発明は、従来よりも製作が簡易である濾材の製造方法を提供しようとするものである。
【課題を解決するための手段】
【０００５】
前記課題を解決するためこの発明では次のような技術的手段を講じている。
この発明の濾材の製造方法は、造形材を所定方向に走査しながら吐出させ、これを硬化させる動作を繰り返すことで高さ方向に厚みを有する濾材条を層状に生成して前記濾材条を高さ方向に積層すると共に、開孔率が低い濾材層に開孔率が高い濾材層を積層するようにしたことを特徴とする。
この濾材の製造方法では、造形材を所定方向に走査しながら吐出させ、これを硬化させる動作を繰り返すことで高さ方向に厚みを有する濾材条を層状に生成するようにしたので、インジェクションや金型を使用せず濾材を三次元で造形することが出来る。
そして、前記濾材条を高さ方向に積層すると共に、開孔率が低い濾材層に開孔率が高い濾材層を積層するようにしたので、開孔率が低い濾材層を網目状のふるいの目として、開孔率が高い濾材層を支持体として機能させることが出来る。
ここで、この濾材は、例えば鋳物用の砂型の砂、砂濾過装置の砂、原発事故の放射能降下汚染土、リニア・モーターカーのトンネルの重金属汚染掘削土、活性炭などの粒径を整えるふるいとして使用することが出来る。
原発の汚染土を除染するためのふるいとして使用する場合、例えば濾材の開孔率が低い最上層の開孔を100〜120μmとして、下層に向かい開孔率を高くし、75μm程度の粘土・シルト質を通すようにすることが出来る。
前記造形材の材質として、例えばポリ乳酸などを使用することが出来る。
【発明の効果】
【０００６】
この発明は上述のような構成であり、次の効果を有する。
インジェクションや金型を使用せず濾材を三次元で造形することができるので、従来よりも製作が簡易である濾材の製造方法を提供することが出来る。
【発明を実施するための形態】
【０００７】
以下、この発明の実施の形態を説明する。
この実施形態では、3Dプリンター（三次元造形装置）を使用して濾材を製造した。前記濾材として、分級用のメッシュ・フィルタを製作した。
この濾材の製造方法は、造形材を所定方向（縦方向と横方向）に走査しながら吐出させるようにしている。前記造形材として、ポリ乳酸樹脂を使用した。ウェッジ・ワイヤに用いられる金属素材に対し、ポリ乳酸樹脂は安価であり加工がしやすいという特性がある。
【０００８】
そして、これ（ポリ乳酸樹脂）を硬化させる動作を繰り返すことで高さ方向に厚み（0.4mm）を有する濾材条（板状）を層状に生成して、前記濾材条を高さ方向に積層するようにしている。
さらに、開孔率が低い濾材層（空隙間隔0.2mm）に開孔率が高い濾材層（空隙間隔0.4mm）を積層するようにしている。さらに、開孔率が高い濾材層（空隙間隔0.8mm）を積層するようにしている。
【０００９】
濾材としての使用時には、上層（対物面）に開孔率が低い濾材層（空隙間隔0.2mm）、中層に次に開孔率が高い濾材層（空隙間隔0.4mm）、下層（濾別面）には更に開孔率が高い濾材層（空隙間隔0.8mm）が位置するようにしている。この濾材は筒状になるように二次成形し、内側を濾過対象物の対物面として使用してもよい。
なお、メッシュの間隔が0.2mm（細目層）、0.4mm、0.8mm、1.0mm、1.2mm、1.4mm、1.6mm、1.8mm、2.0mm、2.2mm（粗目層）と、細いのから順に10層（濾材の厚みは0.4mm×10＝4mm）を積層してもよい。
この分級機構たるメッシュ・フィルタは、細目層から粗目層へと積層していき、使用後の目詰まりを除去するための逆洗浄時に目のゴミが取れ易い構造になっている。
【００１０】
次に、この実施形態の濾材の製造方法の使用状態を説明する。
この濾材の製造方法では、造形材を所定方向に走査しながら吐出させ、これを硬化させる動作を繰り返すことで高さ方向に厚みを有する濾材条を層状に生成するようにしたので、インジェクションや金型を使用せず濾材を三次元で造形することができ、従来よりも製作が簡易であるという利点を有する。
【００１１】
そして、前記濾材条を高さ方向に積層すると共に、開孔率が低い濾材層に開孔率が高い濾材層を積層するようにしたので、開孔率が低い濾材層を網目状のふるいの目として、開孔率が高い濾材層を支持体として機能させることが出来るという利点を有する。
【産業上の利用可能性】
【００１２】
従来よりも製作が簡易であることによって、種々の濾材の製造の用途に適用することができる。
(57)【要約】【課題】  爆弾などの爆発物の種類・性質を分析する事無く、有機物質の爆発性物質ならば全てを一つの方法で解体する方法。【解決手段】  共有結合をしている物質にＸ線を照射すると、Ｘ線のエネルギーに依って共有結合している電子が励起されて、この励起された電子が隣や近くの原子に移動して、共有結合が切断する。共有結合をしている大部分の物質は電流が流れない絶縁体や不導体なので、励起して飛び出した電子は、共有結合をしていた元の処へは戻って来ない。Ｘ線の照射量が多いと共有結合している物質全体の分子の共有結合が大部分、切断し、バラバラの原子や残基に分解し、これが爆発物であれば、爆発性の無い物質に変換する。無機物質の硫黄以外の強力な爆発物は、全部が酸素原子を含んだニトロ基を持つ、共有結合をしている有機物質であり、照射するのは紫外線よりもエネルギーの大きいＸ線なので金属をも透過し、不発弾の解体処理にも使える。必要なのは、Ｘ線の強度と爆発物の大部分の共有結合を切断できる程度の必要な時間の計算とＸ線の強度の測定と交通整理。不発弾の解体には、Ｘ線の放射部分を信管の近くに一つ付け、残りは他の部分に幾つかを付けて、土をかけて不発弾を埋め戻して、地表からＸ線の放射線量を時々、ストップウォチの時間を見ながら測ってＸ線が出ている事を確認する。【特許請求の範囲】
【請求項１】
Ｘ線の照射に依る爆発物の解体方法
【発明の詳細な説明】
【技術分野】
【０００１】  この発明は、工学分野に関する物である。
【発明の概要】
【０００２】  この発明は、ＴＮＴ火薬やニトログリセリン、ピクリン酸、ニトロセルロース、プラスチック火薬などの爆発性の物質を、Ｘ線を照射する事に依って、爆発性の物質自体の分子の共有結合を切断し、原子や残基にまで分解する事に依って爆発性の無い物質に変え、爆発性の物質を爆発性の無い物質に変換する事に依り、解体する方法。
【背景技術】
【０００３】  今までの爆弾などの爆発物の解体方法は、固体・液体など、爆発物の種類・性質を見極めて、液体ならば液体窒素で冷却し、振動を加えない様にする等、それに合った解体方法を使っている。強力な爆発性の物質は酸素原子を含んだニトロ基を持っている。
また、雪国では、太陽の光の中の紫外線を使う事に依り、降り積もった雪の上に布地を晒す事に依って生地を漂白する事が出来る。これは、紫外線に依って、色素分子の中の、主に酸素原子の共有結合が切断する事に依って色素が漂白される事に依る。つまり、紫外線程度の光のエネルギーでも十分に分子の共有結合は切断できる事を示している。
【発明の開示】
【発明が解決しようとする課題】
【０００４】  爆弾などの爆発物の種類・性質を分析する事無く、有機物質の爆発性物質ならば全てを一つの方法で解体する方法。
【課題を解決するための手段】
【０００５】  共有結合をしている物質にＸ線を照射すると、Ｘ線のエネルギーに依って共有結合している電子が励起されて、この励起された電子が隣や近くの原子に移動して、共有結合が切断する。共有結合をしている大部分の物質は電流が流れない絶縁体や不導体なので、励起して飛び出した電子は、共有結合をしていた元の処へは戻って来ない。Ｘ線の照射量が多いと共有結合している物質全体の分子の共有結合が大部分、切断し、バラバラの原子や残基に分解し、これが爆発物であれば、爆発性の無い物質に変換する。無機物質の硫黄以外の強力な爆発物は、全部が酸素原子を含んだニトロ基を持つ、共有結合をしている有機物質であり、照射するのは紫外線よりもエネルギーの大きいＸ線なので金属をも透過し、不発弾の解体処理にも使える。必要なのは、Ｘ線の強度と爆発物の大部分の共有結合を切断できる程度の必要な時間の計算とＸ線の強度の測定と交通整理。不発弾の解体には、Ｘ線の放射部分を信管の近くに一つ付け、残りは他の部分に幾つかを付けて、土をかけて不発弾を埋め戻して、地表からＸ線の放射線量を時々、ストップウォチの時間を見ながら測ってＸ線が出ている事を確認する。
【発明の効果】
【０００６】  この発明により、有機物質で出来ている爆発性の物質は、Ｘ線の照射に依る共有結合の切断と言う、一つの方法で不発弾までもが解体する事が出来て、あとは、爆発物をＸ線で解体している現場に近づかない様に交通整理をするだけだろう。
(57)【要約】      （修正有）【課題】かえし付の釣り針を簡単に魚体から取外す釣針外しプライヤーを提供する。【解決手段】軸用スナップリングプライヤーのように、柄１１、１２を握ると先端が開くプライヤーを利用し、釣針Ｈを魚体から引き離すことにより取り外す。該プライヤーの柄１１、１２の嘴２１、２２の先端部分に外に開いたＶ字型のスリットを形成する。【選択図】図２
2018093845.tif 000002
【特許請求の範囲】
【請求項１】
軸用スナップリングプライヤーのように柄を握ると先端が開くプライヤーであって、軸３で連結された一対の柄１１・１２を有し、各柄の嘴２１・２２の先端部分にスリット４１・４２を形成したこと、を特徴とする釣針外しプライヤー。
【請求項２】
スリットが、外に開いたＶ字型のスリット５１・５２よりなること、を特徴とする請求項１記載の釣針外しプライヤー。
【発明の詳細な説明】
【技術分野】
【０００１】  本発明は、魚に刺さった釣針を外すための、釣針外しプライヤーに関する。
【背景技術】
【０００２】  従来、大型でかえしが大きい釣針、例えばテンヤ針を魚体から外す際、釣針をペンチなどで挟んで引き抜いている。しかし、釣針が魚の口周辺の硬い部分に刺さっている場合、釣針はかえし部分が引っ掛かるので引き抜くことが難しい。魚体を押さえて、釣針をペンチで挟んで引き抜こうと試みても抜けないことがある。ペンチで挟んだ釣針を強引に引き抜こうとすると、釣針が壊れたり魚が傷付いたりする。
【発明の概要】
【発明が解決しようとする課題】
【０００３】  解決しようとする問題点は、釣針を外す際にかえしが引っ掛かって、釣針を外すために大きな力を要することである。
【課題を解決する為の手段】
【０００４】  本発明は、梃の原理を応用して、かえし付の釣針を小さな力で魚体から取外すこと、を主要な目的とする。
【発明の効果】
【０００５】  本発明によれば、かえし付の釣針を、小さい力で魚体から安全に取外すことができる。
【図面の簡単な説明】
【０００６】
【図１】  （ａ）釣針外しプライヤーの斜視図。（ｂ）釣針外しプライヤーと釣針の関係を示す斜視図。
【図２】  （ａ）釣針外しプライヤーの使用法を示す説明図。（ｂ）釣針外しプライヤーの使用法を示す説明図。
【図３】  釣針外しプライヤーの斜視図。
【発明を実施するための形態】
【０００６】  本発明は、軸用スナップリングプライヤーのように、柄を握ると先端が開くプライヤーを使用して、釣針を魚体から取り外すものである。
【０００７】  図により本発明を説明すると、図１（ａ）は釣針外しプライヤーの斜視図で、図１（ｂ）は釣針外しプライヤーの柄を開いて嘴を閉じ、釣針のアゴ７を挟んだ斜視図である。
本発明は、柄１１・１２を止軸３で連結した釣針外しプライヤーで、嘴２１・２２の先端にスリット４１・４２を設けたものである。
【０００８】  図２（ａ）、図２（ｂ）は使用法を示す説明図である。
先ず、図２（ａ）に示すように、嘴２１・２２を閉じた状態の釣針外しプライヤーのスリット４１・４２で、魚の口中にある釣り針Ｈのアゴ７を挟む。次いで、図２（ｂ）に示すように、釣針外しプライヤーの柄１１・１２を握って閉じると、嘴２１・２２が開いて、嘴２２が釣針Ｈのボトム８を押下げると同時に、嘴２１が魚１０の口壁を押し上げる。従って、柄１１・１２を握って閉じると、嘴２１・２２が広がって釣針Ｈが魚体から引き抜かれる。
以上説明したように、魚体の硬い部分に刺さった釣針も、梃の作用により小さい力で簡単に抜去することができる。
【０００９】  図３は、スリットをＶ字型のスリット５１・５２とした場合の釣針外しプライヤーの斜視図である。スリットをＶ字型にすることで、釣針外しプライヤーで釣り針を把持し易くすることができる。
【００１０】  柄１１・１２と嘴２１・２２を分離して作成して、嘴２１・２２を柄１１・１２に着脱式に装着することもできる。
【産業上の利用可能性】
【００１１】  本発明の釣針外しプライヤーを使用することにより、小さい力で容易にテンヤ針のような大型の釣針も外すことができる。構造は簡単であり、安価に製造可能である。
【符号の説明】
【００１２】  １１、１２  柄
２１，２２  嘴
３  止軸
４１、４２  スリット
５１、５２  Ｖ字型スリット
６  かえし
７  アゴ
８  ボトム
１０  魚
Ｈ  釣針
【図１】
2018093845.tif 000003
【図２】
2018093845.tif 000004
【図３】
2018093845.tif 000005